(57)【特許請求の範囲】
【請求項１】
雄コネクタを雌コネクタに挿入可能に構成し、雄コネクタと雌コネクタのいずれか一方のコネクタに、互いに独立に移動可能な第１移動体及び第２移動体を設けると共に回転可能な操作体を設け、この操作体と上記第１及び第２移動体とを、上記操作体の回転によって上記第１及び第２移動体を互いに反対方向に移動させる一対の第１カム手段で連結し、上記第１移動体及び第２移動体と他方のコネクタとに、上記第１及び第２移動体の互いに反対方向への移動によって他方のコネクタを共にコネクタ挿入方向へ移動させる一対の第２カム手段を設け、上記一方のコネクタは、ハウジング内に上記他方のコネクタを収容するコネクタ収容室を有し、このコネクタ収容室には上記他方のコネクタを挿入するための挿入口が開口し、上記ハウジングには上記操作体の収容エリアを構成し、上記操作体の回転軌跡がほぼ上記収容エリア内で、且つ、上記挿入口の上方エリアを通らないよう設定したことを特徴とするコネクタ結合構造。
【請求項２】
請求項１記載のコネクタ結合構造であって、
雄コネクタを雌コネクタに対し挿入開始位置から仮嵌合位置を経て嵌合完了位置まで挿入可能に構成し、上記挿入開始位置から上記仮嵌合位置までのコネクタ挿入過程では、双方の端子間の接触が生じない位置関係に設定し、上記仮嵌合位置から上記嵌合位置までのコネクタ挿入を上記操作体の回転操作で行うことを特徴とするコネクタ結合構造。
【請求項３】
請求項１又は請求項２記載のコネクタ結合構造であって、
上記第１及び第２移動体は一方のコネクタの両側の対称位置に配置したことを特徴とするコネクタ結合構造。
【請求項４】
請求項１〜請求項３記載のコネクタ結合構造であって、
上記一対の第１カム手段は上記操作体と上記第１及び第２移動体とのいずれか一方に設けられた一対の第１カム溝と、他方に設けられ、且つ、この一対の第１カム溝に挿入される一対の第１カムピンとから構成したことを特徴とするコネクタ結合構造。
【請求項５】
請求項１〜請求項４記載のコネクタ結合構造であって、
上記一対の第２カム手段は上記第１及び第２移動体と上記他方のコネクタとのいずれか一方に設けられた一対の第２カム溝と、他方に設けられ、且つ、この一対の第２カム溝に挿入される一対の第２カムピンとから構成したことを特徴とするコネクタ結合構造。
【発明の詳細な説明】
【０００１】
【発明の属する技術分野】
本発明は、雌コネクタと雄コネクタとのいずれか一方のコネクタに移動可能な移動体を設け、この移動体と他方のコネクタとにカム手段を設け、移動体の移動力をカム手段でコネクタ挿入力に変換することによってコネクタ嵌合を小さな操作力で行うコネクタ結合構造に関する。
【０００２】
【従来の技術】
この種のコネクタ結合構造として図１３〜図１７に示すものが特開昭６１−２０３５８１号公報に開示されている。図１３は雌コネクタと雄コネクタの分離状態を示す斜視図、図１４は雌コネクタと雄コネクタの嵌合初期状態を示す断面図、図１５はその嵌合中期状態を示す断面図、図１６はその嵌合完了状態を示す断面図、図１７はカム手段による押圧方向を示す図である。
【０００３】
図１３〜図１６において、雌コネクタ１の雌ハウジング２内には雄コネクタ３を収容するコネクタ収容室４が設けられ、このコネクタ収容室４にはコネクタを挿入するための挿入口４ａが開口している。雌ハウジング２の両側壁には移動用長孔５が形成され、この各長孔５には移動体６のカムピン７がそれぞれ挿入されている。移動体６は雌ハウジング２の両側壁の外側に配置される一対の側面プレート部６ａとこの一対の側面プレート部６ａを連結する連結プレート部６ｂとから成り、一対の側面プレート部６ａの各内面に上記カムピン７が設けられている。カムピン７が上記移動用長孔５等にガイド規制されることによって移動体６は雌コネクタ１に対しコネクタ挿入方向と直交する方向に移動する。
【０００４】
雄コネクタ３の雄ハウジング８の両側壁にはカム溝９がそれぞれ設けられ、この一対のカム溝９はコネクタ挿入方向と同一方向の直線溝部９ａとコネクタ挿入方向に対し傾斜している傾斜溝部９ｂとを有している。この一対のカム溝９と上記カムピン７によってカム手段が構成されている。
【０００５】
次に、上記コネクタ結合構造の嵌合動作を図１４〜図１６を用いて説明する。図１４に示すように、雌コネクタ１に移動体６を装着し、この雌コネクタ１のコネクタ収容室４に雄コネクタ３を挿入口４ａより挿入する。すると、雄コネクタ３の両側のカム溝９に移動体６の各カムピン７が挿入され、図１５に示すように、雄コネクタ３は各カムピン７がカム溝９の直線溝部９ａを通り傾斜溝部９ｂの手前まで挿入される。
【０００６】
次に、移動体６を図１５の矢印方向に移動させると、傾斜溝部９ｂによってカムピン７が押圧力を受けこの押圧分力によって雄コネクタ３は雌コネクタ１のコネクタ収容室４内に引込まれる。そして、移動体６が図１６に示す位置まで移動されるとカムピン７が傾斜溝部９ｂの終端に達しコネクタの嵌合が完了する。又、各コネクタ１、３の各ハンジング２、８内には端子（図示せず）がそれぞれ設けられ、この嵌合過程で双方の端子が圧接状態とされて端子間が電気的に導通されるものである。
【０００７】
【発明が解決しようとする課題】
しかしながら、上記従来のコネクタ結合構造においては、移動体６のカム溝９の傾斜溝部９ｂは全て同一方向に傾斜しているため、カムピン７への押圧方向が全て同一方向となる。従って、図１７に示すように、押圧力Ｆの分力ｆ１、ｆ２の内でコネクタ引込み方向ではない分力ｆ１が全て同じ方向となり、この分力ｆ１の合力が雄コネクタ３及び雄コネクタ３を介して雌コネクタ１に作用することになる。雌コネクタ１又は雄コネクタ３は通常基板等に取付けられた状態でコネクタの嵌合がなされるため、上記分力ｆ１の合力によって取付け箇所が破損する等の事故原因になる。
【０００８】
また、移動体６の連結プレート部６ｂはコネクタの嵌合前も嵌合後も挿入口４ａの上方エリア（図１４〜図１６では下方位置）に突出して位置するために配線や治工具類の障害になる場合がある。又、移動体６の連結プレート部６ｂは挿入口４ａの上方エリア（図１４〜図１６では下方位置）を移動するため、雄コネクタ３の後方から延びた電線束（図示せず）が移動体６の障害とならない方向に収束させなければならず嵌合作業が面倒なものとなる。
【０００９】
そこで、本発明は、前記した課題を解決すべくなされたものであり、嵌合作業時に嵌合方向以外の外力を極力発生させずに低挿入力での嵌合を可能としたコネクタ結合構造を提供することを目的とする。また、嵌合作業時に嵌合方向以外の外力を極力発生させずに低挿入力での嵌合を可能とすると共に、移動体等の低挿入力での嵌合を行うための部材が配線や治工具類の障害やコネクタの電線束の障害にならないコネクタ結合構造を提供することを目的とする。
【００１０】
【課題を解決するための手段】
請求項１の発明は、雄コネクタを雌コネクタに挿入可能に構成し、雄コネクタと雌コネクタのいずれか一方のコネクタに、互いに独立に移動可能な第１移動体及び第２移動体を設けると共に回転可能な操作体を設け、この操作体と上記第１及び第２移動体とを、上記操作体の回転によって上記第１及び第２移動体を互いに反対方向に移動させる一対の第１カム手段で連結し、上記第１移動体及び第２移動体と他方のコネクタとに、上記第１及び第２移動体の互いに反対方向への移動によって他方のコネクタを共にコネクタ挿入方向へ移動させる一対の第２カム手段を設け、上記一方のコネクタは、ハウジング内に上記他方のコネクタを収容するコネクタ収容室を有し、このコネクタ収容室には上記他方のコネクタを挿入するための挿入口が開口し、上記ハウジングには上記操作体の収容エリアを構成し、上記操作体の回転軌跡がほぼ上記収容エリア内で、且つ、上記挿入口の上方エリアを通らないよう設定したことを特徴とする。
【００１１】
このコネクタ結合構造では、他方のコネクタを一方のコネクタに対し第２カム手段が係合されるまで挿入し、この状態で操作体を回転すると、第１カム手段によって第１及び第２移動体が互いに反対方向に移動し、一対の第２カム手段によって他方のコネクタをコネクタ挿入方向へ移動させる押圧分力が作用すると共にこのコネクタ挿入方向とは別の押圧分力は第１及び第２移動体の移動方向が互いに反対方向であるため一対の第２カム手段で互いに逆方向となる。また、このコネクタ結合構造では、操作体はハウジングの収容エリアに配置され、操作体を回転してもほぼ収容エリア内で、且つ、挿入口の上方エリアを通らないよう回転するため、挿入口の上方エリアに突出したり、上方エリアを移動したりしない。
【００１２】
請求項２の発明は、請求項１記載のコネクタ結合構造であって、雄コネクタを雌コネクタに対し挿入開始位置から仮嵌合位置を経て嵌合完了位置まで挿入可能に構成し、上記挿入開始位置から上記仮嵌合位置までのコネクタ挿入過程では、双方の端子間の接触が生じない位置関係に設定し、上記仮嵌合位置から上記嵌合位置までのコネクタ挿入を上記操作体の回転操作で行うことを特徴とする。
【００１３】
このコネクタ結合構造では、請求項１の発明の作用に加え、挿入開始位置から仮嵌合位置までのコネクタ挿入過程では、雄コネクタを雌コネクタに対し挿入開始位置から仮嵌合位置まで挿入するに際して端子間の圧接抵抗による反力を受けず、又、各カム手段により大きな挿入力が得られる仮嵌合位置から嵌合位置までの挿入過程で端子間の接触がなされる。
【００１４】
請求項３の発明は、請求項１又は請求項２記載のコネクタ結合構造であって、第１及び第２移動体は一方のコネクタの両側の対称位置に配置したことを特徴とする。
【００１５】
このコネクタ結合構造では、請求項１又は請求項２の発明の作用に加え、一対の第２カム手段によるコネクタ引込み方向の押圧分力が他方のコネクタの両側の対称位置で働く。
【００１６】
請求項４の発明は、請求項１〜請求項３のいずれかに記載のコネクタ結合構造であって、上記一対の第１カム手段は上記操作体と上記第１及び第２移動体とのいずれか一方に設けられた一対の第１カム溝と、他方に設けられ、且つ、この一対の第１カム溝に挿入される一対の第１カムピンとから構成したことを特徴とする。
【００１７】
このコネクタ結合構造では、請求項１〜請求項３の発明の作用に加え、第１カムピンが第１カム溝に挿入状態でガイドされる。
【００１８】
請求項５の発明は、請求項１〜請求項４のいずれかに記載のコネクタ結合構造であって、上記一対の第２カム手段は上記第１及び第２移動体と上記他方のコネクタとのいずれか一方に設けられた一対の第２カム溝と、他方に設けられ、且つ、この一対の第２カム溝に挿入される一対の第２カムピンとから構成したことを特徴とする。
【００１９】
このコネクタ結合構造では、請求項１〜請求項４の発明の作用に加え、第２カムピンが第２カム溝に挿入状態でガイドされる。
【００２１】
【発明の実施の形態】
以下、本発明の一実施形態を図面に基づいて説明する。
【００２２】
図１は本発明の一実施形態に係るコネクタ結合構造の分解斜視図、図２は雄コネクタと雌コネクタの雌ハウジングとの斜視図、図３は第１及び第２移動体の斜視図、図４は操作体の斜視図である。図１から図４において、コネクタ結合構造１０は雄コネクタ１１と雌コネクタ１２とからなり、雄コネクタ１１は雌コネクタ１２に対し挿入開始位置から仮嵌合位置を経て嵌合完了位置まで挿入可能に構成されている。雌コネクタ１２の雌ハウジング１３内には雄コネクタ１１を収容するコネクタ収容室１４が設けられており、このコネクタ収容室１４の一面は解放されて挿入口１４ａとして構成されている。
【００２３】
雌ハウジング１３内で、且つ、コネクタ収容室１４の両側スペースには移動室１５がそれぞれ形成されており、この移動室１５の内面側はコネクタ収容室１４に開口している。又、雌ハウジング１３の挿入口１４ａの両側にはそれぞれ下記する第２カムピンを挿入するためのガイド口１５ａが２箇所に形成されており、このガイド口１５ａは挿入口１４ａに一面を開口していると共に各移動室１５に開口している。この一対の移動室１５にはそれぞれ第１移動体１６及び第２移動体１７が配置されており、この第１及び第２移動体１６、１７はコネクタ挿入方向と直交する方向に互いに独立して移動可能に構成されている。即ち、第１及び第２移動体１６、１７は雌コネクタ１２の両側の対称位置に配置されている。
【００２４】
また、雌ハウジング１３は一対の突出壁部１３ａを有し、この突出壁部１３ａの間に収容エリア１８が構成されている。この収容エリア１８は仕切壁１３ｂを介してコネクタ収容室１４に隣接しており、又、一対の突出壁部１３ａには回転支持孔１３ｃがそれぞれ形成されている。
【００２５】
操作体１９はその両側面に一対の回転支持ピン１９ａを有し、この各回転支持ピン１９ａが各回転支持孔１３ｃに挿入されている。操作体１９は回転支持ピン１９ａを中心に図７の操作開始位置と図１１の操作終了位置の間で回転するが、その回転軌跡はほぼ上記収容エリア１８内で、且つ、上記挿入口１４ａの上方エリアを通らないよう設定されている。又、操作体１９の回転先端にはつまみ操作部１９ｂが設けられ、このつまみ操作部１９ｂは操作終了位置で上記仕切壁１３ｂの上面に突き当たる。つまり、つまみ操作部１９ｂは回転規制手段を兼ねている。
【００２６】
また、操作体１９と上記第１及び第２移動体１６、１７とは一対の第１カム手段Ｋ１によってそれぞれ連結されている。一対の第１カム手段Ｋ１は操作体１９の両側面にそれぞれ設けられた第１カム溝２０、２１と、上記第１及び第２移動体１６、１７の一端側に設けられ、且つ、上記第１カム溝２０、２１に挿入された第１カムピン２２、２３とから構成されている。そして、一対の第１カム溝２０、２１は上記操作体１９の回転によって上記第１及び第２移動体１６、１７が互いに反対方向に移動するべく螺旋状の溝が逆に設定されている。
【００２７】
詳しくは、図５に示すように、各第１カム溝２０、２１は９０度の回転中心角を有し、一端側から他端側に向かうに従って回転中心（Ｏ）までの距離を徐々に可変する螺旋曲線上に構成される。そして、一方の第１カム溝２０は、図５（ａ）に示すように、一端Ｐ１が最も回転中心（Ｏ）に対する距離が長く（Ｓ１）、他端Ｐ２が最も回転中心に対する距離が短く（Ｓ２）設定されているが、反対に、他方の第１カム溝２１は、図５（ｂ）に示すように、一端Ｐ１が最も回転中心（Ｏ）に対する距離が短く（Ｓ２）、他端Ｐ２が最も回転中心に対する距離が長く（Ｓ１）設定されている。
【００２８】
このような一対の第１カム溝２０、２１の構成により、操作体１９の操作開始位置から操作終了位置への回転では第１移動体１６は図１のＬ１矢印方向、第２移動体１７は図１のＲ１矢印方向である第１パターンでそれぞれ移動する。又、操作体１９の操作開始位置から操作終了位置への回転では第１移動体１６は図１のＲ２矢印方向、第２移動体１７は図１のＬ２矢印方向である第２パターンでそれぞれ移動する。
【００２９】
第１及び第２移動体１６、１７と雄コネクタ１１とには、雄コネクタ１１の挿入に際して作動する一対の第２カム手段Ｋ２が設けられている。この一対の第２カム手段Ｋ２は第１及び第２移動体１６、１７の各内面側の２箇所にそれぞれ設けられた第２カム溝２４、２５と、雄コネクタ１１の雄ハウジング２６の両側面にそれぞれ設けられた第２カムピン２７、２８とから構成されている。この各第２カム溝２４、２５はコネクタ挿入方向と同一方向の直線溝部２４ａ、２５ａとコネクタ挿入方向に対し傾斜している傾斜溝部２４ｂ、２５ｂとを有しているが、上記した第１パターンの移動によって雄コネクタ１１への押圧分力方向が共にコネクタ挿入方向になるよう、第１移動体１６の傾斜溝部２４ｂと第２移動体１７の傾斜溝部２５ｂとの傾斜方向は反対方向に設定されている。
【００３０】
詳しくは、図６（ａ）に示すように、一方の傾斜溝部２４ｂはコネクタ挿入方向Ｍに対して反時計方向に傾斜角Ａの傾斜を有し、図６（ｂ）に示すように、他方の傾斜溝部２５ｂはコネクタ挿入方向Ｍに対して時計方向に傾斜角Ａの傾斜を有して設定されている。尚、第２カム溝２４、２５の最奥側にはスタイダ１６、１７の移動方向と同一方向のピン終端部（特に符号は付けず）が形成されている。
【００３１】
また、雄コネクタ１１には雌端子である圧着端子（図示せず）が、雌コネクタ１２には雄端子であるピン端子（図示せず）がそれぞれ設けられているが、挿入開始位置から仮嵌合位置までのコネクタ挿入過程では、雄端子と雌端子との端子間の接触が生じない位置関係に設定されている。
【００３２】
次に、上記コネクタ結合構造の嵌合動作を図７〜図１２を用いて説明する。尚、図８、図１０、図１２においては、図７、図９、図１１の手前に配置された第１及び第２カム手段Ｋ１、Ｋ２が示されている。
【００３３】
操作体１９が操作開始位置にあって、作業者が雌コネクタ１２の雌ハウジング１３の挿入口１４ａよりコネクタ収容室１４に雄コネクタ１１を挿入すると、第２カムピン２７、２８がガイド口１５ａを経て各移動体１６、１７の第２カム溝２４、２５にそれぞれ入る。すると、図７及び図８に示すように、この挿入によって雄コネクタ１１は第２カムピン２７、２８が第２カム溝２４、２５の直線溝部２４ａ、２５ａの終端（傾斜溝部２４ｂ、２５ｂの始端）、つまり仮嵌合位置まで入り込む。
【００３４】
次に、作業者が操作体１９を操作終了位置方向（図９のＡ矢印方向）に回転操作する。すると、第１カム手段Ｋ１により第１及び第２移動体１６、１７が第１パターンで移動を開始し、図９及び図１０に示すように、第２カムピン２７、２８が第２カム溝２４、２５の傾斜溝部２４ｂ、２５ｂにガイド規制されることによって雄コネクタ１１は雌コネクタ１３のコネクタ収容室１４内に挿入される。そして、操作体１２を操作終了位置まで回転すると、図１１及び図１２に示すように、第２カムピン２７、２８が第２カム溝２４、２５の傾斜溝部２４ｂ、２５ｂの終端部に入り込み雄コネクタ１１は嵌合完了位置に達し、嵌合作業が終了する。
【００３５】
上記嵌合動作において、仮嵌合位置から嵌合完了位置までの間、雄コネクタ１１の一方の側面側では、図６（ａ）に示すように、一方の第２カムピン２７が第２カム溝２４の傾斜溝部２４ｂより押圧力Ｆ１を受け、この押圧分力ｆａが挿入力として作用する。又、雄コネクタ１１の他方の側面側では、図６（ｂ）に示すように、他方の第２カムピン２８が第２カム溝２５の傾斜溝部２５ｂより押圧力Ｆ２を受け、この押圧分力ｆａが挿入力として作用する。
【００３６】
そして、押圧力Ｆ１の別の押圧分力ｆｂと押圧力Ｆ２の別の押圧分力ｆｃとは互いに逆方向として作用するため、これらの分力は相殺されてしまい雄コネクタ１１全体としてはコネクタ挿入方向の外力しか受けないことになる。従って、雄コネクタ１１又は雌コネクタ１２は通常基板等に取付けられた状態でコネクタの嵌合がなされるが、嵌合作業時にコネクタ挿入方向以外の外力によって取付け箇所が破損する等の事故が生じない。
【００３７】
又、コネクタ結合構造の離脱作業は上記と逆の動作、つまり、操作体１９を操作終了位置から操作開始位置に回転操作すると第１及び第２移動体１６、１７が第２パターンで移動して雄コネクタ１１が仮嵌合位置まで離脱し、これを作業者が引き抜くことで行うことができるため、上記と同様の理由によりコネクタ引離し方向以外の外力が全体としては作用せず、同様に取付け箇所が破損する等の事故が生じない。
【００３８】
また、第１及び第２移動体１６、１７は雄コネクタ１１の左右両側の対称位置に配置され、第１及び第２移動体１６、１７より雄コネクタ１１に作用するコネクタ挿入力が左右均等となるため、嵌合作業がスムーズに行われる。
【００３９】
上記コネクタの嵌合動作において、挿入開始位置から仮嵌合位置までのコネクタ挿入過程では、雄端子と雌端子間の接触が生じない位置関係に設定されているため、コネクタの挿入動作が小さい挿入力ででき嵌合作業がスムーズに、且つ、容易になる。
【００４０】
上記コネクタの嵌合動作において、操作体１９は雌ハウジング１３の収容エリア１８に配置され、操作体１９を回転してもほぼ収容エリア１８内で、且つ、挿入口１４ａの上方エリアを通らないよう回転するため、挿入口１４ａの上方エリアに突出したり、上方エリアを移動したりしない。従って、電線や治工具類の障害にならず、仮に雄コネクタ１１の挿入方向の後面より電線束が延びていても障害とはならず、他部品との接触による破損等の可能性がほとんどない。
【００４１】
上記コネクタの嵌合動作において、第１カム手段Ｋ１におけるカム動作は、第１カムピン２２、２３が第１カム溝２０、２１に挿入状態でガイドされるため、第１カムピン２２、２３の移動が確実になされ、また、第２カム手段Ｋ２におけるカム動作は、第２カムピン２７、２８が第２カム溝２４、２５に挿入状態でガイドされるため、第２カムピン２７、２８の移動が確実になされる。
【００４２】
尚、上記実施形態によれば雌コネクタ１２に第１及び第２移動体１６、１７及び操作体１９を設けたが、雄コネクタ１１に第１及び第２移動体１６、１７及び操作体１９を設けても良い。
【００４３】
尚、上記実施形態によれば、一対の第１カム手段Ｋ１は操作体１９に一対の第１カム溝２０、２１を設け、第１及び第２移動体１６、１７に一対の第１カムピン２２、２３を設けて構成したが、操作体１９に一対の第１カムピン２２、２３を設け、第１及び第２移動体１６、１７に一対の第１カム溝２０、２１を設けて構成しても良い。
【００４４】
尚、上記実施形態によれば、一対の第２カム手段Ｋ２は第１及び第２移動体１６、１７に一対の第２カム溝２４、２５を設け、雄コネクタ１１に一対の第２カムピン２７、２８を設けて構成したが、第１及び第２移動体１６、１７に一対の第２カムピン２７、２８を設け、雄コネクタ１１に一対の第２カム溝２４、２５を設けて構成しても良い。
【００４５】
尚、上記実施形態によれば、各第２カム手段Ｋ２は第２カム溝２４、２５と第２カムピン２７、２８を２箇所に設けて構成したが、コネクタの種類、極数、サイズによって適切なカム溝の個数や傾斜角を設定することで低挿入力のコネクタ結合構造とすることができる。
【００４６】
【発明の効果】
以上説明したように、請求項１の発明によれば、雄コネクタを雌コネクタに挿入可能に構成し、雄コネクタと雌コネクタのいずれか一方のコネクタに、互いに独立に移動可能な第１移動体及び第２移動体を設けると共に回転可能な操作体を設け、この操作体と上記第１及び第２移動体とを、上記操作体の回転によって上記第１及び第２移動体を互いに反対方向に移動させる一対の第１カム手段で連結し、上記第１移動体及び第２移動体と他方のコネクタとに、上記第１及び第２移動体の互いに反対方向への移動によって他方のコネクタを共にコネクタ挿入方向へ移動させる一対の第２カム手段を設けたので、コネクタ挿入方向以外の押圧分力は相殺され装置全体としてはコネクタ挿入方向以外の外力は発生しないため、コネクタの嵌合作業時にコネクタの取付け箇所が破損する等の事故原因にならない。また、一方のコネクタは、ハウジング内に上記他方のコネクタを収容するコネクタ収容室を有し、このコネクタ収容室には上記他方のコネクタを挿入するための挿入口が開口し、上記ハウジングには上記操作体の収容エリアを構成し、上記操作体の回転軌跡がほぼ上記収容エリア内で、且つ、上記挿入口の上方エリアを通らないよう設定したので、操作体が挿入口の上方エリアに突出したり、上方エリアを移動したりしないため、電線や治工具類の障害にならず、他部品との接触による破損等の可能性もほとんど生じない。
【００４７】
請求項２の発明によれば、請求項１記載のコネクタ結合構造であって、雄コネクタを雌コネクタに対し挿入開始位置から仮嵌合位置を経て嵌合完了位置まで挿入可能に構成し、上記挿入開始位置から上記仮嵌合位置までのコネクタ挿入過程では、双方の端子間の接触が生じない位置関係に設定し、上記仮嵌合位置から上記嵌合位置までのコネクタ挿入を上記操作体の回転操作で行うよう構成したので、挿入開始位置から上記仮嵌合位置までのコネクタ挿入過程では、端子間の接触が生じず、コネクタの挿入動作が小さい挿入力で行うことができ、又、端子間の接触は各カム手段によって大きな嵌合力が得られる仮嵌合位置から嵌合位置までの挿入過程でなされるため、嵌合作業が全体として小さな挿入力でスムーズに、且つ、容易にできる。
【００４８】
請求項３の発明によれば、請求項１又は請求項２のいずれかに記載のコネクタ結合構造であって、第１及び第２移動体は一方のコネクタの両側の対称位置に配置したので、一対のガイド溝又は一対のガイドピンによるコネクタ引込み方向の押圧分力が他方のコネクタの両側の対称位置で働くため、コネクタ嵌合力も全体でほぼ均等に作用し嵌合作業がスムーズになる。
【００４９】
請求項４の発明によれば、請求項１〜請求項３のいずれかに記載のコネクタ結合構造であって、各第１カム手段は操作体と第１及び第２移動体とのいずれか一方に設けられた一対の第１カム溝と、他方に設けられ、且つ、この一対の第１カム溝に挿入される一対の第１カムピンとから構成したので、請求項１〜請求項４の発明の効果に加え、第１カムピンが第１カム溝に挿入状態でガイドされるため、第１カムピンの移動が確実になされる。
【００５０】
請求項５の発明によれば、請求項１〜請求項４のいずれかに記載のコネクタ結合構造であって、各第２カム手段は上記第１及び第２移動体と上記他方のコネクタとのいずれか一方に設けられた一対の第２カム溝と、他方に設けられ、且つ、この一対の第２カム溝に挿入される一対の第２カムピンとから構成したので、請求項１〜請求項５の発明の効果に加え、第２カムピンが第２カム溝に挿入状態でガイドされるため、第２カムピンの移動が確実になされる。
【図面の簡単な説明】
【図１】本発明の一実施形態に係るコネクタ結合構造の分解斜視図
【図２】本発明の一実施形態に係る雄コネクタと雌コネクタの雌ハウジングとの分解斜視図である。
【図３】本発明の一実施形態に係る第１及び第２移動体の斜視図である。
【図４】本発明の一実施形態に係る操作体の斜視図である。
【図５】（ａ）、（ｂ）はそれぞれ本発明の一実施形態に係る第１カム溝の構成を示す図である。
【図６】（ａ）、（ｂ）はそれぞれ本発明の一実施形態に係る第２カム手段の押圧方向を説明する図である。
【図７】本発明の一実施形態に係る仮嵌合位置にあるコネクタ結合構造の斜視図である。
【図８】本発明の一実施形態に係る仮嵌合位置にあるコネクタ結合構造の断面図である。
【図９】本発明の一実施形態に係る仮嵌合位置と嵌合位置の中間位置にあるコネクタ結合構造の斜視図である。
【図１０】本発明の一実施形態に係る仮嵌合位置と嵌合位置の中間位置にあるコネクタ結合構造の断面図である。
【図１１】本発明の一実施形態に係る嵌合位置にあるコネクタ結合構造の斜視図である。
【図１２】本発明の一実施形態に係る嵌合位置にあるコネクタ結合構造の断面図である。
【図１３】従来例に係る雌コネクタと雄コネクタの分離状態を示す斜視図である。
【図１４】従来例に係る雌コネクタと雄コネクタの嵌合初期状態を示す断面図である。
【図１５】従来例に係る雌コネクタと雄コネクタの嵌合中期状態を示す断面図である。
【図１６】従来例に係る雌コネクタと雄コネクタの嵌合完了状態を示す断面図である。
【図１７】従来例に係るカム手段による押圧方向を示す図である。
【符号の説明】
１１  雄コネクタ
１２  雌コネクタ
１６  第１移動体
１７  第２移動体
１９  操作体
２０、２１  第１カム溝
２２、２３  第１カムピン
２４、２５  第２カム溝
２７、２８  第２カムピン
【図１】
0003568774.tif 000002
【図２】
0003568774.tif 000003
【図３】
0003568774.tif 000004
【図４】
0003568774.tif 000005
【図５】
0003568774.tif 000006
【図６】
0003568774.tif 000007
【図７】
0003568774.tif 000008
【図８】
0003568774.tif 000009
【図９】
0003568774.tif 000010
【図１０】
0003568774.tif 000011
【図１１】
0003568774.tif 000012
【図１２】
0003568774.tif 000013
【図１３】
0003568774.tif 000014
【図１４】
0003568774.tif 000015
【図１５】
0003568774.tif 000016
【図１６】
0003568774.tif 000017
【図１７】
0003568774.tif 000018